【手続補正書】
【提出日】平成17年2月17日(2005.2.17)
【手続補正１】
【補正対象書類名】明細書
【補正対象項目名】発明の名称
【補正方法】変更
【補正の内容】
【発明の名称】テレビ放送受信装置および情報制御方法
【手続補正２】
【補正対象書類名】明細書
【補正対象項目名】特許請求の範囲
【補正方法】変更
【補正の内容】
【特許請求の範囲】
【請求項１】
外部メモリを接続するためのコネクタと、
前記コネクタを通じて接続される前記外部メモリからの情報を取り込むためのインターフェース回路と、
前記インターフェース回路を通じて取り込んだ前記外部メモリからの情報を処理して、利用するための制御回路と
を備えることを特徴とするテレビ放送受信装置。
【請求項２】
前記制御回路は、前記コネクタに接続された前記外部メモリからの情報に基づいて、新たな機能を実行可能な状態になることを特徴とする請求項１に記載のテレビ放送受信装置。
【請求項３】
前記外部メモリからの情報は画像データまたは音声データであって、
前記制御回路による制御により、前記外部メモリから取り込まれた前記画像データまたは音声データが再生処理され、表示部に表示され、または、音声再生されることを特徴とする請求項１に記載のテレビ放送受信装置。
【請求項４】
前記外部メモリからの情報は画像データまたは音声データに加えてこれらのデータを再生するための情報を含むものであって、
前記制御回路は、前記画像データまたは前記音声データの再生に先立ち、前記データを再生するための情報を取り込み、このデータを再生するための情報を用いて、前記画像データまたは音声データを再生するように制御することを特徴とする請求項３に記載のテレビ放送受信装置。
【請求項５】
前記外部メモリからの情報は放送信号中に挿入されているデータを抽出する手段を構成するための情報であって、
前記制御回路は、前記外部メモリからの前記情報を用いて前記放送信号中に挿入されているデータを抽出する処理を実行するように制御することを特徴とする請求項１に記載のテレビ放送受信装置。
【請求項６】
前記外部メモリの前記コネクタに加えて、他の外部メモリ用のコネクタまたは外部機器接続用のコネクタを備え、
前記制御回路は、前記外部メモリからの情報を、前記他の外部メモリ用または外部機器接続用のコネクタを通じて、前記他の外部メモリまたは外部機器に転送することを特徴とする請求項１に記載のテレビ放送受信装置。
【請求項７】
前記制御回路は、前記外部メモリからの情報内容を示す表示を表示部に行い、前記外部メモリからの情報のうち、ユーザの選択指示に応じた情報のみを他の外部メモリまたは外部機器に転送することを特徴とする請求項６に記載のテレビ放送受信装置。
【請求項８】
前記外部メモリの情報は、１ないし複数枚分の静止画像データであって、
前記制御回路は、前記外部メモリからの情報を受信して前記表示部に前記静止画像データによる画像を表示し、ユーザの選択指示があった前記静止画像データを前記他の外部メモリまたは外部機器に転送することを特徴とする請求項６に記載のテレビ放送受信装置。
【請求項９】
テレビ放送受信装置のインターフェース回路を通じてコネクタに接続された外部メモリからの情報を取り込み、
前記コネクタに接続された前記外部メモリからの情報に基づいて、新たな機能を実行する
ことを特徴とする情報制御方法。
【請求項１０】
前記外部メモリからの情報は画像データまたは音声データであって、
前記外部メモリから取り込まれた前記画像データまたは音声データを再生処理し表示部に表示し、または、音声再生する
ことを特徴とする請求項９に記載の情報制御方法。
【請求項１１】
前記外部メモリからの情報は画像データまたは音声データに加えてこれらのデータを再生するための情報を含むものであって、
前記画像データまたは前記音声データの再生に先立ち、前記データを再生するための情報を取り込み、このデータを再生するための情報を用いて、前記画像データまたは音声データを再生する
ことを特徴とする請求項１０に記載の情報制御方法。
【請求項１２】
前記外部メモリからの情報は放送信号中に挿入されているデータを抽出する手段を構成するための情報であって、
前記外部メモリからの前記情報を用いて前記放送信号中に挿入されているデータを抽出する処理を実行する
ことを特徴とする請求項９に記載の情報制御方法。
【請求項１３】
前記外部メモリの前記コネクタに加えて、他の外部メモリ用のコネクタまたは外部機器接続用のコネクタを通じて、前記外部メモリからの情報を、前記他の外部メモリまたは外部機器に転送する
ことを特徴とする請求項９に記載の情報制御方法。
【請求項１４】
前記外部メモリからの情報内容を示す表示を表示部に行い、前記外部メモリからの情報のうち、ユーザの選択指示に応じた情報のみを他の外部メモリまたは外部機器に転送する
ことを特徴とする請求項１３に記載の情報制御方法。
【請求項１５】
前記外部メモリの情報は、１ないし複数枚分の静止画像データであって、
前記外部メモリからの情報を受信して前記表示部に前記静止画像データによる画像を表示し、ユーザの選択指示があった前記静止画像データを前記他の外部メモリまたは外部機器に転送する
ことを特徴とする請求項１３に記載の情報制御方法。
【手続補正３】
【補正対象書類名】明細書
【補正対象項目名】０００１
【補正方法】変更
【補正の内容】
【０００１】
【発明の属する技術分野】
この発明は、例えば、デジタル衛生放送などのテレビ放送信号を受信する装置、これに用いられる方法に関する。
【手続補正４】
【補正対象書類名】明細書
【補正対象項目名】０００９
【補正方法】変更
【補正の内容】
【０００９】
以上のことにかんがみ、この発明は、上記問題点を一掃し、新たに提供されるサービスや、新規な利用形態に対して柔軟に対応することができる装置、そのための方法を提供することを目的とする。
【手続補正５】
【補正対象書類名】明細書
【補正対象項目名】００１６
【補正方法】変更
【補正の内容】
【００１６】
また、請求項３に記載の発明のテレビ放送受信装置は、請求項１に記載のテレビ放送受信装置であって、
前記外部メモリからの情報は画像データまたは音声データであって、
前記制御回路による制御により、前記外部メモリから取り込まれた前記画像データまたは音声データが再生処理され、表示部に表示され、または、音声再生されることを特徴とする請求項１に記載のテレビ放送受信装置。
【手続補正６】
【補正対象書類名】明細書
【補正対象項目名】００３５
【補正方法】変更
【補正の内容】
【００３５】
【発明の実施の形態】
以下、図を参照しながら、この発明による装置、方法の一実施の形態について説明する。以下に説明する実施の形態においては、この発明をデジタルテレビ放送の受信装置に適用したものとして説明する。なお、デジタルテレビ放送の場合には、１つのキャリアに複数の放送番組の信号を多重化して放送するようにすることも行われている。このため、以下に説明する実施の形態のデジタルテレビ放送の受信装置は、このような１つのキャリアに複数の放送番組の信号が多重化されて提供される信号を受信して復調し、目的とする放送番組の信号を抽出して利用することができるものとして説明する。
【手続補正７】
【補正対象書類名】明細書
【補正対象項目名】０１６７
【補正方法】変更
【補正の内容】
【０１６７】
【発明の効果】
以上説明したように、請求項１に記載の発明によれば、外部メモリに記憶されている情報を取り込んで、この情報に応じた処理を行なうことにより外部メモリから取り込んだ情報を利用したり、外部メモリから取り込んだ情報に基づいて新たな機能を実行できるようにするなどのことができる。
【手続補正８】
【補正対象書類名】明細書
【補正対象項目名】０１６８
【補正方法】変更
【補正の内容】
【０１６８】
また、請求項２、請求項９に記載の発明によれば、外部メモリから取り込んだ情報を処理することにより、新たな機能を追加することができる。これにより、テレビ放送により新たに提供されるようになったサービスを簡単にかつ多くの費用をかけることなく利用することができる。
【手続補正９】
【補正対象書類名】明細書
【補正対象項目名】０１６９
【補正方法】変更
【補正の内容】
【０１６９】
また、請求項３、請求項１０に記載の発明によれば、例えば、他のデジタル機器により画像データや音声データが記録された外部メモリから、これらの情報を取り込んで再生し、視聴することができる。
【手続補正１０】
【補正対象書類名】明細書
【補正対象項目名】０１７０
【補正方法】変更
【補正の内容】
【０１７０】
また、請求項４、請求項１１に記載の発明によれば、外部メモリに記憶されている画像データや音声データについての再生機能を実行可能にした後に、外部メモリから画像データ、音声データを取り込んで再生することができる。これにより、画像データや音声データを取り込んで処理する機能を備えていなくても、画像データや音声データを処理するための機能を追加して、処理するようにすることができる。
【手続補正１１】
【補正対象書類名】明細書
【補正対象項目名】０１７１
【補正方法】変更
【補正の内容】
【０１７１】
また、請求項５、請求項１２に記載の発明によれば、放送信号中に挿入されている例えばコンテンツ情報などを抽出して利用することができる。
【手続補正１２】
【補正対象書類名】明細書
【補正対象項目名】０１７２
【補正方法】変更
【補正の内容】
【０１７２】
また、請求項６、請求項１３に記載の発明によれば、外部メモリに記憶されている情報を他の外部メモリに記憶するようにしたり、外部機器を通じて別の記憶媒体に記憶することができる。これにより、デジタルデータの利用環境を整え、各種のデジタル機器をより有効に活用することができる。
【手続補正１３】
【補正対象書類名】明細書
【補正対象項目名】０１７３
【補正方法】変更
【補正の内容】
【０１７３】
また、請求項７、請求項１４に記載の発明によれば、外部メモリに記憶されているデータのうち、必要なデータのみを他の外部メモリや外部機器に転送し記憶するようにすることができる。したがって、必要なデジタルデータのみを他の外部メモリや外部機器の記録媒体に記憶することにより、デジタルデータを使いやすくまとめることができるとともに、効率よく管理することができる。
【手続補正１４】
【補正対象書類名】明細書
【補正対象項目名】０１７４
【補正方法】変更
【補正の内容】
【０１７４】
また、請求項８、請求項１５に記載の発明によれば、外部メモリや外部機器の記録媒体に必要な静止画像データのみを整理し、いわゆる電子アルバムを作成することができる。